(57)【要約】【課題】群管理エレベーターにおいて、予め大まかな利用者数を登録することで、実際のエレベーターの利用状況に即した最適な配車を行い、ビル全体へのサービスを向上させること。【解決手段】乗場行先階登録装置１０は、任意の階を入力可能とする利用者数登録釦１１０と、「同一行先階への利用者が大人数」の場合に押下する入力釦１０１と、「同一行先階への利用者が中人数」の場合に押下する利用者数登録釦１０２と、「同一行先階への利用者が少人数」の場合に押下する利用者数登録釦１０３を備えている。エレベーター利用者は、行先階登録釦１１０と大まかな利用者数を登録する利用者数登録釦１０１，１０２，１０３とを組み合わせて入力することで、実際のエレベーターの利用状況に即した最適な配車を行い、ビル全体の効率を向上させることができる。【選択図】  図１
2014177346.tif 000002
【特許請求の範囲】
【請求項１】
昇降路内を昇降するエレベーターの乗りかごと、当該エレベーターの乗りかごを上昇、下降させる駆動装置と、当該駆動装置を制御するエレベーター制御装置と、当該エレベーター制御装置に対して乗場行先階登録を行う各階床に設けられた乗場行先階登録装置とを備えるエレベーターの複数台と、当該複数台のエレベーターを同一グループ内で運行制御する群管理制御装置を有する群管理エレベーターにおいて、
前記乗場行先階登録装置は、エレベーター利用者が乗場において予め行先階登録ができる行先階入力部とエレベーターに乗車する大まかな利用者数を登録できるグループ人数登録部を備え、前記群管理制御装置は、前記グループ人数登録部で登録された大まかな利用者数に応じて、エレベーターの配車を行うことを特徴とする予め大まかな利用者数を登録できるエレベーター。
【請求項２】
請求項１のエレベーターにおいて、前記エレベーター利用者は、行先階を同一とする複数のエレベーター利用者、又は単数の利用者であり、当該行先階を同一とする複数のエレベーター利用者、又は単数の利用者が、前記乗場行先階登録装置に、行先階と共に予め大まかな利用者数を登録できることを特徴とする予め大まかな利用者数を登録できるエレベーター。
【請求項３】
請求項２のエレベーターにおいて、前記予め大まかな利用者数を登録するため、前記乗場行先階登録装置のグループ人数登録部は、
「同一行先階への利用者が多数」或いは「同一行先階への利用者が大人数」、「同一行先階への利用者が複数」或いは「同一行先階への利用者が中人数」、「同一行先階への利用者が少数」或いは「同一行先階への利用者が小人数」のいずれかを少なくとも含む複数の入力選択ができることを特徴とする予め大まかな利用者数を登録できるエレベーター。
【請求項４】
請求項３のエレベーターにおいて、前記予め大まかな利用者数を登録するため、前記乗場行先階登録装置のグループ人数登録部は、前記乗場行先階登録装置に設けられた、ボタン、タッチスクリーンのいずれかを少なくとも含む入力手段であることを特徴とする予め大まかな利用者数を登録できるエレベーター。
【請求項５】
請求項４のエレベーターにおいて、前記乗場行先階登録装置のボタン、タッチスクリーンのいずれかを少なくとも含む入力手段は、入力手段或いはその近傍に、大まかな利用者数を表示する表示手段を設けたことを特徴とする予め大まかな利用者数を登録できるエレベーター。
【請求項６】
請求項１から５のいずれかのエレベーターにおいて、前記乗場行先階登録装置に入力されたエレベーター利用者の行先階と当該行先階へのエレベーターに乗車する大まかな利用者数は、前記群管理制御装置に伝達され、前記群管理制御装置の学習部により、エレベーターの利用状況の月日、曜日、時間帯、行先階のうちの少なくとも一つを含む蓄積学習データを基に、前記群管理制御装置がエレベーターの配車の決定を行うことを特徴とする予め大まかな利用者数を登録できるエレベーター。
【請求項７】
請求項６のエレベーターにおいて、前記乗場行先階登録装置に、エレベーター利用者の行先階と当該行先階へのエレベーターに乗車する大まかな利用者数が登録されたとき、前記群管理制御装置は、過去のエレベーターの利用状況での曜日、時間帯、行先階が一致する蓄積学習データを基に、エレベーターの配車の決定を行うことを特徴とする予め大まかな利用者数を登録できるエレベーター。
【請求項８】
請求項６のエレベーターにおいて、前記乗場行先階登録装置に、エレベーター利用者の行先階と当該行先階へのエレベーターに乗車する大まかな利用者数が登録されたとき、前記群管理制御装置は、過去のエレベーターの利用状況での日時、行先階が一致する蓄積学習データを基に、エレベーターの配車の決定を行うことを特徴とする予め大まかな利用者数を登録できるエレベーター。
【発明の詳細な説明】
【技術分野】
【０００１】
本発明は、複数台のエレベーターを運行制御する群管理制御装置を備える群管理エレベーターに関し、特に、行先階予約システムを備えた群管理エレベーターに関するものである。
【背景技術】
【０００２】
通常、群管理エレベーターは、昇降路内を昇降するエレベーターの乗りかごと、当該エレベーターの乗りかごを上昇、下降させる駆動装置と、当該駆動装置を制御するエレベーター制御装置と、当該エレベーター制御装置に対して乗場呼び（ホール呼び）登録を行う各階床に設けられた乗場呼び登録装置と、エレベーターの乗りかご内に設けられ行先階登録を行う行先階登録装置とを備えるエレベーターの複数台と、当該複数台のエレベーターを同一グループ内で運行制御する群管理制御装置を備えてエレベーターの群管理制御を行う。
【０００３】
すなわち、群管理エレベーターは、エレベーター群管理制御装置によって運行制御され、当該群管理制御装置が、複数台のエレベーターを１つのグループとして制御することで、利用客に対して効果的なエレベーターの運行サービスを提供する。通常、群管理エレベーターでは、乗場で乗場呼び（ホール呼び）が登録された場合に、このグループの中のエレベーターから、利用客の待ち時間が短い、利用客で混雑してない等の設定条件に合った最適なエレベーターを選択して、前記の乗場呼びに対してエレベーターを割当てる処理を行う。
【０００４】
さらに、群管理エレベーターでは、逐次、エレベーターの利用状況を把握することにより、交通流や混雑度の判定を行い、出勤時などの混雑時において、最適なエレベーターの運行制御を行う。
【０００５】
又、群管理エレベーターでは、ビル全体の交通流を考慮し効率良く運転するため、乗場呼びと乗場での行先階の予約入力ができる乗場行先階登録装置を備え、予め乗場で行先の目的階を登録できる行先階予約システムが備えられることがある。このような行先階予約システムを備えた群管理エレベーターでは、ビル全体のエレベーターの運行効率を上げるため、グループでエレベーターに乗車する複数の利用者を、一度に簡単な手段で乗場呼び登録し、群管理制御装置がエレベーターの最適な配車を行う様に運行制御することが、下記特許文献１に記載されている。
【０００６】
この特許文献１のエレベーター群管理システムは、複数の利用者のグループでエレベーターを利用する場合であっても、利便性に優れ、運行効率の低下を防止することができるエレベーター群管理システムを提供しようとするものであり、利用者が乗車前に行先階を登録する行先操作盤と、利用者がエレベーターをグループで利用する旨を登録するためのグループ乗車登録装置とを、エレベーターの乗場に設置する。また、特許文献１のエレベーターは、利用者がエレベーターをグループで利用する時の利用者人数を、利用者人数記憶部に予め記憶しておき、行先操作盤による行先階の登録が、グループ乗車登録装置によるグループ利用の登録と共に行われた場合は、乗場行先呼びに対して割当てるかごを、利用者人数記憶部に記憶された利用者人数に基づいて決定するエレベーター群管理システムである。すなわち、特許文献１のエレベーターは、エレベーター利用者がグループでエレベーターを利用する際、グループ乗車登録装置により予め目的階毎に定められた利用人数を基にエレベーターの乗りかごの配車を決定し、最適な乗りかごの配車を行うというものである。
【先行技術文献】
【特許文献】
【０００７】
【特許文献１】国際公開Ｗ０２００９/１４１９００号公報                                      （特願２０１０−５１２８８２号）
【発明の概要】
【発明が解決しようとする課題】
【０００８】
特許文献１に記載のエレベーター群管理システムの運行制御では、エレベーターの利用者がグループでエレベーターを利用する際、行先の目的階毎に利用人数が予め登録されているため、グループ人数の大小に関わらず毎回一定の数値を基に乗りかご配車の決定を行う。
【０００９】
すなわち、特許文献１に記載のエレベーター群管理システムの運行制御では、グループ利用者の乗場行先階呼びに対する群管理制御装置による乗場呼び登録では、グループの人数が少人数であっても大人数であっても、グループ利用者の乗場呼びに対して、エレベーターの配車制御の演算をいつも同じ係数で行う。そのため、実際のエレベーターの利用状況に即した配車とならない場合がある。場合によっては、混雑時であるにもかかわらず、少数のグループ利用者に対し空の乗りかごを複数台優先的に配車し、人数の多いグループ利用者に十分な乗りかごの配車を行わずに、ビル全体のエレベーターの運行効率を低下させてしまう懸念があった。
【００１０】
本発明の目的は、上述した従来技術の課題を解決するために、複数台のエレベーターを同一グループ内で効率的に運行制御する群管理エレベーターにおいて、同一階で乗車する複数の利用者からなるグループ利用者の大まかな人数に応じてエレベーターの配車を行い、エレベーターの利用状況に即した最適な運行制御を行い、ビル全体のエレベーターの運行効率を向上させることにある。
【課題を解決するための手段】
【００１１】
本発明を複数の観点から把握することができるが、代表的な本発明の予め大まかな利用者数を登録できるエレベーターは、以下の通りである。また、その他の観点から捉えた本発明の予め大まかな利用者数を登録できるエレベーターは、以下に述べる発明を実施する形態の説明等でさらに明らかになる。
【００１２】
すなわち、本発明の予め大まかな利用者数を登録できるエレベーターは、昇降路内を昇降するエレベーターの乗りかごと、当該エレベーターの乗りかごを上昇、下降させる駆動装置と、当該駆動装置を制御するエレベーター制御装置と、当該エレベーター制御装置に対して乗場行先階登録を行う各階床に設けられた乗場行先階登録装置とを備えるエレベーターの複数台と、当該複数台のエレベーターを同一グループ内で運行制御する群管理制御装置を有する群管理エレベーターにおいて、前記乗場行先階登録装置は、エレベーター利用者が乗場において予め行先階登録ができる行先階入力部とエレベーターに乗車する大まかな利用者数を登録できるグループ人数登録部を備え、前記群管理制御装置は、前記グループ人数登録部で登録された大まかな利用者数に応じて、エレベーターの配車を行うことを特徴とする予め大まかな利用者数を登録できるエレベーターである。
【発明の効果】
【００１３】
本発明によれば、複数台のエレベーターを同一グループ内で効率的に制御する群管理エレベーターにおいて、同一階から乗車する複数の利用者からなるグループ利用者の大まかな利用者数を、乗場行先階登録装置に入力して、グループ利用者の大まかな利用者数を予め登録することで、実際のエレベーターの利用状況に即した最適な配車を行い、ビル全体のエレベーターの運行効率を向上させることができる。
【００１４】
また、グループ利用者が、特に、行先階を同一とする複数の利用者である場合、大まかな利用者数を予め登録することで、実際のエレベーターの利用状況に即した最適な必要台数の配車を行うことができ、複数台の乗りかごに分かれて乗車したとしても、グループ利用者がほぼ同時に、または到着時間がそれほどずれることなく行先階に移動することができるので、エレベーター利用者の利便性が高まる。
【図面の簡単な説明】
【００１５】
【図１】本発明の実施例に係るエレベーターの乗場行先階登録装置での行先階入力部とグループ人数登録部を示した説明図。
【図２】本発明の他の実施例に係るエレベーターの乗場行先階登録装置での行先階入力部とグループ人数登録部を示した説明図。
【図３】本発明の実施例に係るエレベーターの大まかな利用者数の入力から最適な配車を行うまでを示したフローチャート。
【図４】本発明の実施例に係るエレベーターの大まかな利用者数の入力から最適な配車を行うまでを示した制御ブロック図。
【発明を実施するための形態】
【００１６】
以下、本発明の予め大まかな利用者数を登録できるエレベーターの実施形態を図に基づいて説明する。
以下の説明は本発明の内容の実施の形態を示すものであり、本発明がこれらの実施の形態に限定されるものではなく、本明細書に開示される技術的思想の範囲内において当業者による様々な変更および修正が可能である。
【００１７】
図１は、本発明の実施例に係る乗場行先階登録装置において、行先階を同一とする複数の利用者の大まかな乗車人数を登録するための入力部を設けた行先階登録装置の概観概念図である。なお、図１は、乗場行先階登録装置の入力部を例示したものであり、例えば、その上部に液晶表示装置等の表示部が設けられて、入力部の操作結果の表示や各種の案内を表示する。なお、タッチスクリーンの様に入力部と表示部を含めて全体をタッチパネル付きの液晶表示装置で構成し、入力部の画面と入力操作結果の表示や各種の案内表示を行う通知画面を、画面の切り替えによって表示するようにしても良い。
【００１８】
図１において、全体を符号１０で示す乗場行先階登録装置は、任意の行先階を入力可能とする行先階入力釦１１０を有する行先階入力部と、「同一行先階への利用者が多数」或いは「同一行先階への利用者が大人数」の場合に押下する利用者数登録釦１０１と、「同一行先階への利用者がやや多数」或いは「同一行先階への利用者が中人数」の場合に押下する利用者数登録釦１０２と、「同一行先階への利用者が少数」或いは「同一行先階への利用者が小人数」の場合に押下する利用者数登録釦１０３を有し、予め大まかな利用者数を登録できるグループ人数登録部を備えている。
【００１９】
すなわち、本発明での大まかな利用者数とは、利用者数の数値でなく、「大人数」、「中人数」、「小人数」等のエレベーター利用者数を概算で見た規模のことであり、イメージとしての利用者数のことであり、利用者数の正確性を問うものではない。
【００２０】
大まかな利用者数を登録する利用者数登録釦１０１、１０２、１０３は、その釦本体或いはその近傍に、利用者が一目で認識できるようなイラストの図示や案内が施されている。図１におけるイラストの図示は、例えば「多」「中」「少」といった文字に置き換えても、利用者に対し同様の視覚効果を与えることができる。
【００２１】
本発明の様に大まかな利用者数を登録するのでなく、グループ人数登録部で、グループの人数そのものを数字キーで入力して、群管理制御部が入力された人数に基づいて利用者数の大、中、小を判断してエレベーターの配車台数を決める方法もあるが、本発明では、利用者の利便性を考慮して、大まかな利用者数を登録する利用者数登録釦１０１、１０２、１０３等を使用することとした。大まかな利用者数を登録する利用者数登録釦１０１、１０２、１０３等を使用することにより、グループ利用者は、グループ人数を概算で登録することができ、いちいち数字キーを選んで押す面倒がない。また、利用者数登録釦１０１、１０２、１０３等は視覚的なイメージで選択することができ、人数登録が容易である利便性がある。
【００２２】
乗場行先階登録装置１０を用いて、実際に行先階を同じくする利用者数を登録する操作方法として、例えば２５階に利用者数「少」で登録する場合の手順は、まず行先階入力釦１１０により「２」「５」の順に入力する。図示しないが、乗場行先階登録装置１０の上部に設けられる表示装置には、行先階の２５階の表示が行われて、利用者は入力した行先階の確認をする。次に、一定の時間内（例えば５秒以内）で「同一行先階への利用者が少数」或いは「同一行先階への利用者が小人数」の場合に押下する利用者数登録釦１０３を押下することで登録完了となる。
【００２３】
なお、ここで間違えて、「同一行先階への利用者がやや多数」或いは「同一行先階への利用者が中人数」の場合に押下する利用者数登録釦１０２を押下したとしても、一定時間以内（例えば５秒以内）に、「同一行先階への利用者が少数」或いは「同一行先階への利用者が小人数」の場合に押下する利用者数登録釦１０３を押下することで、訂正ができるものとする。すなわち、一定時間以内に最後に押された利用者数登録釦の大まかな利用者数が登録される。
【００２４】
図２は、本発明の他の実施例に係るエレベーターの乗場行先階登録装置での予め大まかな利用者数を登録できるグループ人数登録部を示した説明図である。図１の乗場行先階登録装置のグループ人数登録部に、エレベーター利用者がグループでなく、１人利用である時の利用者数登録釦１０４を追加したものである。図１の乗場行先階登録装置では、行先階となる行先階の入力後の一定時間内にグループ人数登録部の入力を行わなければ、１人利用と判定されるが、図２の乗場行先階登録装置では、利用者の便宜のために１人利用の利用者数登録釦を設けたものである。なお、１人利用の釦を押さなくとも、行先階の入力後の一定時間内にグループ人数登録部の入力を行わなければ、１人利用と判定となる。
【００２５】
なお、図２の様に１人利用釦を別個に設ける代わりに、図１の「同一行先階への利用者が少数」或いは「同一行先階への利用者が小人数」の場合に押下する利用者数登録釦１０３を１人利用釦に変えて使用しても良い。
すなわち、グループ人数登録部の利用者数登録釦は、図１や図２に示した実施例に限らず、利用者数釦の増減や人数表示の変更をエレベーターの利用状況に応じて変更することができる。
【００２６】
図３は、図１の実施例の乗場行先階登録装において、グループ人数登録部で入力された大まかな利用者人数から、エレベーターの群管理制御装置が最適な配車を行うまでを示したフローチャートである。
【００２７】
手順を追って説明すると、まず図１における乗場行先階登録装置１０の行先階入力釦１１０を、利用者が任意に操作することでグループ利用者の行先階が入力される（２０１）。次に、一定の時間内（例えば５秒以内）に同一行先階に向かうグループの大まかな利用者数を、利用者数登録釦の内の大人数釦１０１、中人数釦１０２、小人数釦１０３のいずれかを押下することで、利用者が複数であることが判断される（２０２）。大人数釦１０１、中人数釦１０２、少人数釦１０３の内の何れかの釦が押下された場合は、押下された釦種により利用者数を、大まかに、大人数、中人数、少人数のいずれかと判断する（２０３〜２０８）。利用者数登録釦１０１、１０２、１０３の何れも押下されない場合は、利用者が単数であると判定する（２０９）。
【００２８】
エレベーターの群管理制御装置は、入力された行先階と大まかな利用者数から、最も効率の良い配車（割当て）を行うための演算処理を行い（２１０）、演算結果を元に乗りかごを１台又は複数台（例えば２台や３台）配車することになる（２１１）。
【００２９】
図４は、グループ利用者数の登録により最適な配車を行う群管理制御装置の制御ブロックを示す図である。３００は複数台のエレベーターを同一グループ内で効率的に制御する群管理制御装置である。群管理制御装置は最適配車演算部３０１、配車司令部３０２、学習部３０３、利用状況蓄積部（日時、場所、人数情報等蓄積部）３０４等や他の制御回路部から構成される。
【００３０】
乗場行先階登録装置１０により入力されたグループ利用者の行先階と利用者数は、群管理制御装置の最適配車演算部３０１に入力され、予め設定されたアルゴリズムにより演算が行なわれ演算結果が出力される。
出力された演算結果は配車司令部３０２に送信され、演算結果から算出、決定された最適な乗りかご、状況によって複数台の乗りかごの配車を決定する。この群管理制御装置側の処理に基づき、エレベーター制御装置３１０に配車指令が出力される。
【００３１】
図４では、エレベーター制御装置３１０は１台の図示としているが、群管理エレベーターは、ビル全体の交通流を考慮し複数台のエレベーターを効率良く運転するシステムであるから、実際は複数台のエレベーター制御装置（一般的には３〜８台）が、群管理制御装置から指令を受けて制御される。
【００３２】
エレベーター制御装置３１０は大まかな乗りかごの乗車人数を把握するため、乗りかご３２０の底部に設けられた乗りかご荷重検出装置（図示せず）からの乗りかご荷重検出信号を受ける乗りかご荷重検出部３１１を備えている。この乗りかご荷重検出装置は、一般的には荷重センサで構成され、乗りかご荷重検出部３１１において、乗りかご乗車人数がどの程度であるか高精度で検出が可能である。
【００３３】
群管理制御装置は、さらに学習部３０３を有し、当該学習部３０３は、利用状況蓄積部（日時、場所、人数情報等蓄積部）３０４に蓄積されたエレベーターの利用状況や、かご荷重検出部３１１の乗車人数情報を取り込んで、配車司令部３０２に、これまでのエレベーターの利用状況からの学習結果を反映する。配車司令部３０２は、学習部３０３の学習結果を最適配車演算部３０１に伝達し、その最適配車演算での係数設定に反映させ、演算結果を取得してエレベーターの配車の決定を行う。
【００３４】
つまり、「ある月日、曜日、時間に」、「ある乗場階からある行先階をある利用者数で登録された時」、「○階に何台配車し」、「○人が乗車した」という学習を常に行うものである。
【００３５】
この学習部３０３で行う優位な点を以下説明する。一社占有ビルにしてもテナントビルにしても、各フロアの在員人数は一定ではないし、フロアの利用形態も異なる。例えば、一社占有ビルで、ある階が会議室階の場合、定例会議などで決まった時間帯に多くの社員が会議室階に向かうことになる。そうすると、「ある決まった日時に」、「ある乗車階からある行先階を」、「大人数で登録された」過去の学習データが蓄積される。この蓄積された学習データから、「同一行先階への利用者が多数」或いは「同一行先階への利用者が大人数」の場合に押下する利用者数登録釦１０１と、「同一行先階への利用者が複数」或いは「同一行先階への利用者が中人数」の場合に押下する利用者数登録釦１０２と、「同一行先階への利用者が少数」或いは「同一行先階への利用者が少人数」の場合に押下する利用者数登録釦１０３に対し、押下される月日、曜日、時間帯や乗車階、又は行先階等により、群管理制御装置の最適配車演算部での演算の係数の重み付けを変動させることが出来る。
【００３６】
よって、本発明では、例えば「同一行先階への利用者が大人数」の場合に押下する利用者数登録釦１０１に「１０人」といった固定値をベースに演算するわけではなく、時間帯や登録階によって最適配車演算部３０１でフレキシブルに演算を行い、その演算結果を受けて配車司令部３０２がエレベーター制御部に配車指令を出す。
【００３７】
具体的な事例を以下に説明する。
ビルの２５階が会議室フロアで、大会議室を含む複数の会議室があり、毎週月曜日（又は毎月の１日等）の午前１０時から１１時に、会社のある部門全体で５０人規模の人数での会議が、大会議室で行われるものとする。１１時に会議が終了し、会議参加者がそれぞれのセクションの階床に戻るため、２５階で乗場行先階呼びが行われ、グループ人数登録部の「同一行先階への利用者が多数」或いは「同一行先階への利用者が大人数」の場合に押下する利用者数登録釦１０１が押下されたとする。
【００３８】
この時、過去の学習結果から、群管理制御装置は、月曜日の午前１１時に５０人程の利用者がグループで乗場行先階登録することを認識しており、複数台（例えば４台）のエレベーターの配車を行い、グループ利用者がスムーズに職場に戻れるようにエレベーターの運行管理を行う。
【００３９】
一方、翌日の火曜日の１１時に、２５階で乗場行先階呼びが行われ、グループ人数登録部の「同一行先階への利用者が多数」或いは「同一行先階への利用者が大人数」の場合に押下する利用者数登録釦１０１が押下されたとする。この時、過去の学習結果から、群管理制御装置は、火曜日の午前１１時に大人数の利用者がグループで乗場行先階登録することを認識していないため、大人数グループ利用者のためのエレベーターの配車（例えば２台）を行うのみのエレベーターの運行管理を行う。
【００４０】
以上の様な事例の様に、群管理制御装置は、グループ人数登録部の利用者数登録釦が押下された場合、過去の学習結果に基づき、エレベーターの配車決定を行い、効率的なエレベーターの運行管理を行う。
【００４１】
以上の実施例において、複数の人数でのグループ利用者が同一乗場階床から同一の行先階にエレベーターで移動する場合を説明したが、グループ利用者の一部の利用者が同一乗場階床から異なる行先階にエレベーターで移動する場合でも、本発明は適用できる。この場合、グループ内の一部の利用者は、乗りかごに乗り込んだ後に、各自の行先階を乗りかご内の行先階入力装置に入力することになる。この様な行先階が異なるグループ利用者の場合であっても、群管理制御装置は、グループ人数登録部の利用者数登録釦が押下された場合、過去の学習結果に基づき、エレベーターの配車決定を行い、効率的なエレベーターの運行管理を行う。
【００４２】
すなわち、本発明によれば、群管理エレベーターにおいて、同一階から乗車する複数の利用者からなるグループ利用者の大まかな利用者数を、乗場行先階登録装置に入力して登録することで、エレベーターの利用状況に即した最適な配車を行い、ビル全体のエレベーターの運行効率を向上させることができる。
【００４３】
また、グループ利用者が、特に、行先階を同一とする複数の利用者である場合、大まかな利用者数を予め登録することで、エレベーターの利用状況に即した最適な必要台数の配車を行うことができ、複数台の乗りかごに分かれて乗車したとしても、グループ利用者がほぼ同時に、または到着時間がそれほどずれることなく行先階に移動することができるので、エレベーター利用者の利便性が高まる。
【００４４】
本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の構成に置き換えることも可能であり、また、実施例の構成に他の構成を加えることも可能である。また、各実施例の構成の一部について、他の構成の追加・削除・置換をすることが可能である。
【００４５】
また、上記の各構成、機能、処理部、処理手段等は、それらの一部又は全部を、例えば集積回路で設計する等によりハードウェアで実現しでもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ(Solid State Drive)等の記録装置、または、ＩＣカード、ＳＤカード、ＤＶＤ 等の記録媒体に置くことができる。
【００４６】
また、制御線や情報線およびそれらの結合は、説明上必要と考えられるものを示しており、製品上必ずしも全ての制御線や情報線およびそれらの結合を示しているとは限らない。実際には殆ど全てもしくは多くの構成が相互に関係付けられ接続されていると考えてもよい。
【符号の説明】
【００４７】
１０      乗場行先階登録装置
１１０    行先階入力釦
１０１    グループ人数登録部の利用者数「大人数」登録釦
１０２    グループ人数登録部の利用者数「中人数」登録釦
１０３    グループ人数登録部の利用者数「小人数」登録釦
１０４    グループ人数登録部の利用者数「１人」登録釦
３００    群管理制御装置
３０１    最適配車演算部
３０２    配車司令部
３０３    学習部
３０４    利用時間蓄積部
３１０    エレベーター制御装置
３１１    乗りかご荷重検出部
３２０    エレベーター乗りかご
【図１】
2014177346.tif 000003
【図２】
2014177346.tif 000004
【図３】
2014177346.tif 000005
【図４】
2014177346.tif 000006